(57)【要約】【課題】均一もしくはほぼ均一の照度（明るさ）で発光する発光面を得ることができる車両用光学部材、車両用灯具を提供すること。【解決手段】この発明は、入射面４１、４２、４３と、第１出射面５０と、２つの分割反射面６０Ｕ、６０Ｄと、２つ（２組）の変更反射面７１Ｌ、７１Ｒ、７２Ｌ、７２Ｒ、７３Ｌ、７３Ｒと、２つの第２出射面８０Ｌ、８０Ｒと、を備える。少なくとも、入射面４１、４２、４３の一部と第１出射面５０の一部とが、対向する。この結果、この発明は、均一もしくはほぼ均一の照度（明るさ）で発光する発光面を得ることができる導光部材３、３Ａ、灯具１を提供することができる。【選択図】        図１
2018045940.tif 000002
【特許請求の範囲】
【請求項１】
光源からの光を入射させる入射面と、
入射光の一部を出射させる第１出射面と、
残りの前記入射光をそれぞれ反射させて、残りの前記入射光の経路を複数に分割する複数の分割反射面と、
複数の分割反射光をそれぞれ反射させて、複数の前記分割反射光の経路をそれぞれ変更する複数の変更反射面と、
複数の変更反射光をそれぞれ出射させる複数の第２出射面と、
を備え、
少なくとも、前記入射面の一部と前記第１出射面の一部とは、対向する、
ことを特徴とする車両用光学部材。
【請求項２】
前記第１出射面は、正面視形状が長方形形状もしくはほぼ長方形形状をなし、
２つの前記分割反射面は、前記第１出射面の短手方向の両側に配置されていて、前記入射光をそれぞれ前記第１出射面の長手方向であって相互に反対方向に反射させて、前記入射光の経路を２つに分割し、
２つの前記第２出射面は、それぞれ正面視形状が長方形形状もしくはほぼ長方形形状をなし、前記第１出射面の長手方向の両側に、２つの前記第２出射面の長手方向と前記第１出射面の長手方向とが合致もしくはほぼ合致するように、配置されていて、
２つの前記変更反射面は、それぞれ第１変更反射面と第２変更反射面と第３変更反射面とから構成されていて、２つの前記分割反射面と２つの前記第２出射面との間に配置されている、
ことを特徴とする請求項１に記載の車両用光学部材。
【請求項３】
前記第１出射面は、正面視形状が長方形形状もしくはほぼ長方形形状をなし、
２つの前記分割反射面は、前記第１出射面の短手方向の両側に配置されていて、前記入射光をそれぞれ前記第１出射面の長手方向であって相互に反対方向に反射させて、前記入射光の経路を２つに分割し、
２つの前記第２出射面は、それぞれ正面視形状が長方形形状もしくはほぼ長方形形状をなし、２つの前記分割反射面の反射方向側に、２つの前記第２出射面の長手方向と前記第１出射面の長手方向とが平行もしくはほぼ平行となるように、配置されていて、
２つの前記変更反射面は、２つの前記分割反射面と２つの前記第２出射面との間に配置されている、
ことを特徴とする請求項１に記載の車両用光学部材。
【請求項４】
灯室を区画するランプハウジングおよびランプレンズと、
前記灯室内に配置されている光源および前記の請求項１〜３のいずれか１項に記載の車両用光学部材と、
を備え、
前記入射面は、前記光源に対向し、
前記第１出射面および前記第２出射面は、前記ランプレンズに対向する、
ことを特徴とする車両用灯具。
【請求項５】
灯室を区画するランプハウジングおよびランプレンズと、
前記灯室内に配置されている複数個の光源および前記の請求項２または３に記載の車両用光学部材と、
を備え、
複数個の前記車両用光学部材の前記入射面は、複数個の前記光源に対向し、
複数個の前記車両用光学部材の前記第１出射面および前記第２出射面は、それぞれ、前記ランプレンズに対向する、
ことを特徴とする車両用灯具。
【請求項６】
前記第１出射面および前記第２出射面と前記ランプレンズとの間には、インナーレンズが配置されている、
ことを特徴とする請求項４または５に記載の車両用灯具。
【発明の詳細な説明】
【技術分野】
【０００１】
この発明は、車両用光学部材に関するものである。また、この発明は、車両用光学部材を備える車両用灯具に関するものである。
【背景技術】
【０００２】
車両用光学部材および車両用光学部材を備える車両用灯具（以下、単に、「車両用光学部材、車両用灯具」と称する）は、従来からある（たとえば、特許文献１）。以下、従来の車両用光学部材（導光レンズ）、車両用灯具（灯具）について説明する。従来の車両用灯具は、車両用光学部材と、光源と、アウターレンズと、を備えるものである。従来の車両用光学部材は、入射面と、入射面に対向しかつ光軸に近い領域に位置する側方反射面と、前方反射面と、その他の領域に位置する出射面と、を備えるものである。
【０００３】
従来の車両用光学部材および車両用灯具は、光源が点灯すると、光源からの光が入射面から車両用光学部材中に入射し、入射光が側方反射面で左右両側方に反射され、左右両側の反射光が前方反射面で前方に反射され、前方の反射光が出射面から出射し、出射光がアウターレンズを経て外部に照射される。
【０００４】
従来の車両用光学部材、車両用灯具は、光軸に近い領域を広い領域からの出射光で照射するので、光軸に近い領域とその他の領域との光量の差を無くし、均一な照射を行うことができる。
【先行技術文献】
【特許文献】
【０００５】
【特許文献１】特開２０１４−１５４５２２号公報
【発明の概要】
【発明が解決しようとする課題】
【０００６】
ところが、従来の車両用光学部材および車両用灯具は、入射光を側方反射面で左右両側方に反射させ、その左右両側の反射光を前方反射面で前方に反射させかつ出射面から出射させるものである。このために、従来の車両用光学部材、車両用灯具は、入射光の一部を側方反射面から出射させることができないので、入射面に対向しかつ光軸に近い領域に位置する側方反射面における光量とその他の領域に位置する出射面における光量との間に差がある。これにより、従来の車両用光学部材、車両用灯具は、側方反射面と出射面との間において、均一な照射すなわち均一な発光面が得られない場合がある。
【０００７】
この発明が解決しようとする課題は、均一もしくはほぼ均一の照度（明るさ）で発光する発光面を得ることができる車両用光学部材、車両用灯具を提供することにある。
【課題を解決するための手段】
【０００８】
この発明の車両用光学部材は、光源からの光を入射させる入射面と、入射光の一部を出射させる第１出射面と、残りの入射光をそれぞれ反射させて、残りの入射光の経路を複数に分割する複数の分割反射面と、複数の分割反射光をそれぞれ反射させて、複数の分割反射光の経路をそれぞれ変更する複数の変更反射面と、複数の変更反射光をそれぞれ出射させる複数の第２出射面と、を備え、少なくとも、入射面の一部と第１出射面の一部とが、対向する、ことを特徴とする。
【０００９】
この発明の車両用光学部材は、第１出射面が、正面視形状が長方形形状もしくはほぼ長方形形状をなし、２つの分割反射面が、第１出射面の短手方向の両側に配置されていて、入射光をそれぞれ第１出射面の長手方向であって相互に反対方向に反射させて、入射光の経路を２つに分割し、２つの第２出射面が、それぞれ正面視形状が長方形形状もしくはほぼ長方形形状をなし、第１出射面の長手方向の両側に、２つの第２出射面の長手方向と第１出射面の長手方向とが合致もしくはほぼ合致するように、配置されていて、２つの変更反射面が、それぞれ第１変更反射面と第２変更反射面と第３変更反射面とから構成されていて、２つの分割反射面と２つの第２出射面との間に配置されている、ことを特徴とする。
【００１０】
この発明の車両用光学部材は、第１出射面が、正面視形状が長方形形状もしくはほぼ長方形形状をなし、２つの分割反射面が、第１出射面の短手方向の両側に配置されていて、入射光をそれぞれ第１出射面の長手方向であって相互に反対方向に反射させて、入射光の経路を２つに分割し、２つの第２出射面が、それぞれ正面視形状が長方形形状もしくはほぼ長方形形状をなし、２つの分割反射面の反射方向側に、２つの第２出射面の長手方向と第１出射面の長手方向とが平行もしくはほぼ平行となるように、配置されていて、２つの変更反射面が、２つの分割反射面と２つの第２出射面との間に配置されている、ことを特徴とする。
【００１１】
この発明の車両用灯具は、灯室を区画するランプハウジングおよびランプレンズと、灯室内に配置されている光源および前記の各この発明の車両用光学部材と、を備え、入射面が、光源に対向し、第１出射面および第２出射面が、ランプレンズに対向する、ことを特徴とする。
【００１２】
この発明の車両用灯具は、灯室を区画するランプハウジングおよびランプレンズと、灯室内に配置されている複数個の光源および前記のこの発明の車両用光学部材と、を備え、複数個の車両用光学部材の入射面が、複数個の光源に対向し、複数個の車両用光学部材の第１出射面および第２出射面が、それぞれ、ランプレンズに対向する、ことを特徴とする。
【００１３】
この発明の車両用灯具は、第１出射面および第２出射面とランプレンズとの間には、インナーレンズが配置されている、ことを特徴とする。
【発明の効果】
【００１４】
この発明の車両用光学部材、車両用灯具は、均一もしくはほぼ均一の照度（明るさ）で発光する発光面を得ることができる車両用光学部材、車両用灯具を提供することができる。
【図面の簡単な説明】
【００１５】
【図１】図１は、この発明にかかる車両用光学部材、車両用灯具の実施形態１を示す正面図である。
【図２】図２は、車両用灯具を示す縦断面図（図１におけるＩＩ−ＩＩ線断面図）である。
【図３】図３は、車両用光学部材を示す正面図（図２におけるＩＩＩ−ＩＩＩ線矢視図）である。
【図４】図４は、車両用光学部材を示す底面図（図３におけるＩＶ矢視図）である。
【図５】図５は、車両用光学部材中における光路（光の経路）を示す説明図である。図５（Ａ）は、入射部および第１出射部中における光路を示す説明図（図６（Ｂ）の底面図に対応する説明図）である。図５（Ｂ）は、入射部、下側の分割反射部、左側の変更反射部および左側の第２出射部中における光路を示す説明図（図６（Ｃ）の底面図に対応する説明図）である。図５（Ｃ）は、入射部、上側の分割反射部、右側の変更反射部および右側の第２出射部中における光路を示す説明図（図６（Ｄ）の底面図に対応する説明図）である。
【図６】図６は、車両用光学部材を示す斜視図である。図６（Ａ）は、車両用光学部材の全体を示す斜視図である。図６（Ｂ）は、車両用光学部材の入射部および第１出射部を示す斜視図である。図６（Ｃ）は、車両用光学部材の入射部、下側の分割反射部、左側の変更反射部および左側の第２出射部を示す斜視図である。図６（Ｄ）は、車両用光学部材の入射部、上側の分割反射部、右側の変更反射部および右側の第２出射部を示す斜視図である。
【図７】図７は、この発明にかかる車両用光学部材、車両用灯具の実施形態２を示す車両用光学部材の正面図である。
【図８】図８は、車両用光学部材を示す底面図（図７におけるＶＩＩＩ矢視図）である。
【発明を実施するための形態】
【００１６】
以下、この発明にかかる車両用光学部材、車両用灯具の実施形態（実施例）の２例を図面に基づいて詳細に説明する。この明細書において、前、後、上、下、左、右は、この発明にかかる車両用光学部材、車両用灯具を車両に装備した際の前、後、上、下、左、右である。
【００１７】
図において、符号「Ｆ」は「前」、「Ｂ」は「後」、「Ｕ」は上、「Ｄ」は「下」、「Ｌ」は「左」、「Ｒ」は「右」である。図３〜図５、図７、図８において、図中の矢印および小黒丸は、光路を示す。図３、図６（Ｂ）〜（Ｄ）、図７において、プリズムなどの光学素子の図示を省略する。
【００１８】
（実施形態１の構成の説明）
図１〜図６は、この発明にかかる車両用光学部材、車両用灯具の実施形態１を示す。以下、この実施形態１にかかる車両用光学部材、車両用灯具の構成について説明する。図中、符号１は、この実施形態１にかかる車両用灯具である。
【００１９】
（車両用灯具１の説明）
車両用灯具（以下、単に「灯具」と称する）１は、この例では、リアコンビネーションランプである。灯具１は、車両（図示せず）の後部の左右両側にそれぞれ装備される。車両用灯具１は、ランプハウジング１０と、ランプレンズ（たとえば、素通しのアウターカバー、アウターレンズなど）１１と、インナーレンズ１３と、ブラケット１４と、光源２と、この実施形態１にかかる車両用光学部材（レンズ部材、導光レンズ、ライトガイド、導光体、導光部材など）３と、を備えるものである。
【００２０】
光源２および車両用光学部材（以下、単に「導光部材」と称する）３は、複数個（この例では３個）設けられている。３個の光源２および導光部材３は、この例では、リアコンビネーションランプのテール・ストップランプユニットを構成する。
【００２１】
（ランプハウジング１０およびランプレンズ１１の説明）
ランプハウジング１０は、たとえば、光不透過性の部材（樹脂部材など）から構成されている。ランプハウジング１０は、車両の後側の部分が開口し、一方、車両の前側の部分が閉塞した形状をなす。
【００２２】
ランプレンズ１１は、たとえば、光透過性の部材（樹脂部材など）から構成されている。ランプレンズ１１は、車両の前側の部分が開口し、一方、車両の後側の部分が閉塞した形状をなす。ランプレンズ１１の閉塞部分の意匠面は、車両の後部の意匠面に沿う。
【００２３】
ランプハウジング１０の開口縁とランプレンズ１１の開口縁とは、固定されている。これにより、灯室１２が区画されている。灯室１２内には、３個の光源２および導光部材３から構成されているテール・ストップランプユニットと、インナーレンズ１３と、ブラケット１４とがそれぞれ配置されている。
【００２４】
インナーレンズ１３は、ランプレンズ１１に対向して配置されている。インナーレンズ１３は、取付部材としてのブラケット１４を介してランプハウジング１０に取り付けられている。インナーレンズ１３は、導光部材３からの光（第１出射光Ｌ５、第２出射光Ｌ８Ｌ、Ｌ８Ｒ）を上下左右に（特に左右に）拡散させる。インナーレンズ１３には、プリズム（魚眼プリズム、円柱面プリズムなど）やシボ加工などの光学素子が設けられている。
【００２５】
なお、灯室１２内には、図示されていないその他のランプユニット、たとえば、バックアップランプ、ターンシグナルランプなどがそれぞれ配置されている場合がある。また、灯室１２内には、図示されていないインナーパネルやインナーハウジングやエクステンションなどが配置されている場合がある。
【００２６】
（光源２の説明）
光源２は、発光部２０と、基板２１と、を有する。基板２１は、取付部材としてのブラケット１４を介してランプハウジング１０に取り付けられている。これにより、３個の光源２は、灯室１２内にそれぞれ配置されている。
【００２７】
発光部２０は、この例では、ＬＥＤ、ＯＥＬまたはＯＬＥＤ（有機ＥＬ）などの自発光半導体型発光素子（半導体発光素子）を１個もしくは複数個有する。発光部２０の発光面は、ランプレンズ１１側であって、導光部材３側に対向している。
【００２８】
光源２は、光軸Ｚを有する。光軸Ｚは、発光部２０の発光面の中心もしくはほぼ中心を通り、かつ、発光部２０の発光面に対して、垂直もしくはほぼ垂直をなす。光源２からの光であって光源２から放射される光（以下、「光源光」と称する）Ｌ１は、この例では、赤色である。このために、導光部材３およびインナーレンズ１３を経てランプレンズ１１から照射される光は、赤色である。これにより、テール・ストップランプは、赤色光を照射する機能を有する。なお、最終的に、ランプレンズ１１から照射される光が赤色であれば、光源光Ｌ１は、白色光などであっても良い。
【００２９】
（導光部材３の説明）
導光部材３は、この例では、アクリル樹脂やＰＣ（ポリカーボネート）、ＰＭＭＡ（ポリメタクリル酸メチル、メタクリル樹脂）などの無色透明樹脂材からなる。導光部材３は、無色透明あるいは赤色透明である。
【００３０】
導光部材３は、取付部材としてのブラケット１４を介してランプハウジング１０に取り付けられている。これにより、３個の導光部材３は、灯室１２内にそれぞれ配置されている。導光部材３は、光源２側とランプレンズ１１およびインナーレンズ１３側との間に配置されている。
【００３１】
導光部材３は、１つ（１組）の入射面４１、４２と、１つの平行光反射面４３と、１つの第１出射面５０と、２つの分割反射面６０Ｕ、６０Ｄと、２つ（２組）の変更反射面７１Ｌ、７１Ｒ、７２Ｌ、７２Ｒ、７３Ｌ、７３Ｒと、２つの第２出射面８０Ｌ、８０Ｒと、を備える。
【００３２】
導光部材３は、１つの入射部４と、１つの第１出射部５と、２つの分割反射部６Ｕ、６Ｄと、２つの変更反射部７Ｌ、７Ｒと、２つの第２出射部８Ｌ、８Ｒと、を備える。入射部４、第１出射部５、分割反射部６Ｕ、６Ｄ、変更反射部７Ｌ、７Ｒおよび第２出射部８Ｌ、８Ｒは、一体構造をなす。
【００３３】
（入射部４の説明）
入射部４は、放物線を光軸Ｚ回りに回転させてなる回転放物体の一部の形状からなる。入射部４は、正面視形状が光軸Ｚを中心とする円形状をなす。ここで、正面視とは、車両を後側から前側に見ることをいう。したがって、入射部４の後面は、円形状をなす。
【００３４】
（第１入射面４１、第２入射面４２、平行光反射面４３の説明）
入射部４には、入射面４１、４２および平行光反射面４３が設けられている。入射面は、第１入射面４１と、第２入射面４２と、からなる。第１入射面４１および第２入射面４２は、光源２の発光部２０の発光面に対向する。
【００３５】
第１入射面４１は、焦点Ｆ１が光軸Ｚ上でかつ光源２の発光部２０の発光面の中心もしくはほぼ中心に位置する凸レンズ面（焦点Ｆ１の双曲線を光軸Ｚ回りに回転させてなる回転双曲面など）からなるものである。このために、第１入射面４１は、光源光Ｌ１の一部を、光軸Ｚと平行もしくはほぼ平行な入射平行光Ｌ２として、後方向に入射させる。
【００３６】
第２入射面４２は、光軸Ｚを中心軸として回転させてなる円錐面からなるものである。このために、第２入射面４２は、光源光Ｌ１の一部を、入射屈折光Ｌ３として、斜め後ろ方向に入射させる。第２入射面４２の断面線は、直線でも曲線でもよい。
【００３７】
平行光反射面４３は、焦点（図示せず）が光軸Ｚ上に位置しかつ第１入射面４１の焦点Ｆ１よりも第１入射面４１側に位置する放物線を光軸Ｚ回りに回転させてなる回転放物面からなるものである。このために、平行光反射面４３は、入射屈折光Ｌ３を、光軸Ｚと平行もしくはほぼ平行な反射平行光Ｌ４として、後方向に反射させる。この反射平行光Ｌ４は、入射平行光Ｌ２と同様に、入射光である。また、この平行光反射面４３は、第１入射面４１および第２入射面４２と同様に、入射面である。
【００３８】
（第１出射部５の説明）
第１出射部５は、ほぼ直方体形状をなす。第１出射部５は、入射部４の円形状の後面であって、上中下に３等分もしくはほぼ３等分した中央部分に一体に設けられている。すなわち、第１出射部５の前面と入射部４の後面とは、一体である。
【００３９】
（第１出射面５０の説明）
第１出射部５の後面には、第１出射面５０が設けられている。第１出射面５０は、正面視形状が左右方向に長いほぼ長方形形状をなす。なお、左右の短辺は、入射部４の後面の円弧の一部をなす。ここで、第１出射面５０の長手方向は、左右方向である。また、第１出射面５０の短手方向は、上下方向である。
【００４０】
第１出射面５０は、インナーレンズ１３に対向する。第１出射面５０は、入射光、すなわち、入射平行光Ｌ２および反射平行光Ｌ４の一部を、第１出射光Ｌ５として、後方向に外部に出射させる。第１出射面５０には、第１出射光Ｌ５を左右方向に拡散させる光学素子（プリズムやシボ加工など）が設けられている。
【００４１】
少なくとも、入射面４１、４２、４３の一部と第１出射面５０の一部とは、対向する。すなわち、第１入射面４１、第２入射面４２および平行光反射面４３のうち、入射部４の円形状の後面の中央部分と、第１出射面５０とは、対向する。
【００４２】
（分割反射部６Ｕ、６Ｄの説明）
２つの分割反射部６Ｕ、６Ｄは、それぞれ、三角柱形状（三角板形状）をなす。２つの分割反射部６Ｕ、６Ｄは、入射部４の円形状の後面であって、上中下に３等分もしくはほぼ３等分した上側の部分、下側の部分に、一体に設けられている。すなわち、上側の分割反射部６Ｕの前面と入射部４の上側の部分の後面とは、一体である。また、下側の分割反射部６Ｄの前面と入射部４の下側の部分の後面とは、一体である。
【００４３】
また、２つの分割反射部６Ｕ、６Ｄは、第１出射部５の上面、下面に、一体に設けられている。すなわち、上側の分割反射部６Ｕの下面と第１出射部５の上面とは、一体である。また、下側の分割反射部６Ｄの上面と第１出射部５の下面とは、一体である。
【００４４】
（分割反射面６０Ｕ、６０Ｄの説明）
２つの分割反射部６Ｕ、６Ｄには、２つの分割反射面６０Ｕ、６０Ｄが設けられている。上の分割反射面６０Ｕは、上側の分割反射部６Ｕの左傾斜面に設けられている。下の分割反射面６０Ｄは、下側の分割反射部６Ｄの右傾斜面に設けられている。
【００４５】
２つの分割反射面６０Ｕ、６０Ｄは、第１出射面５０の短手方向の両側（上下方向の上下両側）に配置されている。２つの分割反射面６０Ｕ、６０Ｄは、残りの入射光、すなわち、入射平行光Ｌ２および反射平行光Ｌ４を、分割反射光Ｌ６Ｌ、Ｌ６Ｒとして、それぞれ第１出射面５０の長手方向であって相互に反対方向（左方向と右方向と）に反射させる。
【００４６】
すなわち、上側の分割反射面６０Ｕは、上側の入射平行光Ｌ２および反射平行光Ｌ４を、右側の分割反射光Ｌ６Ｒとして、右方向に反射させる。下側の分割反射面６０Ｄは、下側の入射平行光Ｌ２および反射平行光Ｌ４を、左側の分割反射光Ｌ６Ｌとして、左方向に反射させる。２つの分割反射面６０Ｕ、６０Ｄは、残りの入射平行光Ｌ２および反射平行光Ｌ４の経路を左右方向に２つに分割する。
【００４７】
２つの分割反射面６０Ｕ、６０Ｄは、反射方向（第１出射面５０の長手方向）に対して垂直方向もしくはほぼ垂直方向（第１出射面５０の短手方向）にずれている。すなわち、２つの分割反射面６０Ｕ、６０Ｄは、上下方向にずれている。
【００４８】
（変更反射部７Ｌ、７Ｒの説明）
２つの変更反射部７Ｌ、７Ｒは、それぞれ、平行六面体形状をなす。２つの変更反射部７Ｌ、７Ｒは、２つの分割反射部６Ｕ、６Ｄに一体に設けられている。すなわち、左側の変更反射部７Ｌの右側面と下側の分割反射部６Ｄの左側面とは、一体である。右側の変更反射部７Ｒの左側面と上側の分割反射部６Ｕの右側面とは、一体である。
【００４９】
（第２出射部８Ｌ、８Ｒの説明）
２つの第２出射部８Ｌ、８Ｒは、それぞれ、三角柱形状（三角板形状）をなす。２つの第２出射部８Ｌ、８Ｒは、２つの変更反射部７Ｌ、７Ｒに一体に設けられている。すなわち、左側の第２出射部８Ｌの右側面と左側の変更反射部７Ｌの左側面とは一体である。右側の第２出射部８Ｒの左側面と右側の変更反射部７Ｒの右側面とは一体である。
【００５０】
（変更反射面７１Ｌ、７１Ｒ、７２Ｌ、７２Ｒ、７３Ｌ、７３Ｒの説明）
２つの変更反射部７Ｌ、７Ｒおよび２つの第２出射部８Ｌ、８Ｒには、２つ（２組）の変更反射面７１Ｌ、７１Ｒ、７２Ｌ、７２Ｒ、７３Ｌ、７３Ｒが設けられている。すなわち、左側の変更反射部７Ｌおよび第２出射部８Ｌには、左側の第１変更反射面７１Ｌ、左側の第２変更反射面７２Ｌおよび左側の第３変更反射面７３Ｌが設けられている。右側の変更反射部７Ｒおよび第２出射部８Ｒには、右側の第１変更反射面７１Ｒ、右側の第２変更反射面７２Ｒおよび右側の第３変更反射面７３Ｒが設けられている。
【００５１】
２つの第１変更反射面７１Ｌ、７１Ｒ、２つの第２変更反射面７２Ｌ、７２Ｒ、２つの第３変更反射面７３Ｌ、７３Ｒは、２つの分割反射面６０Ｕ、６０Ｄと２つの第２出射面８０Ｌ、８０Ｒとの間に配置されている。
【００５２】
左側の第１変更反射面７１Ｌは、左側の変更反射部７Ｌの下傾斜面に設けられていて、左側の分割反射光Ｌ６Ｌを、左側の第１変更反射光Ｌ７１Ｌとして、上方向に反射させる。左側の第２変更反射面７２Ｌは、左側の変更反射部７Ｌの上傾斜面に設けられていて、左側の第１変更反射光Ｌ７１Ｌを、左側の第２変更反射光Ｌ７２Ｌとして、左方向に反射させる。左側の第３変更反射面７３Ｌは、左側の第２出射部８Ｌの後傾斜面に設けられていて、左側の第２変更反射光Ｌ７２Ｌを、左側の第３変更反射光Ｌ７３Ｌとして、後方向に反射させる。
【００５３】
右側の第１変更反射面７１Ｒは、右側の変更反射部７Ｒの上傾斜面に設けられていて、右側の分割反射光Ｌ６Ｒを、右側の第１変更反射光Ｌ７１Ｒとして、下方向に反射させる。右側の第２変更反射面７２Ｒは、右側の変更反射部７Ｒの下傾斜面に設けられていて、右側の第１変更反射光Ｌ７１Ｒを、右側の第２変更反射光Ｌ７２Ｒとして、右方向に反射させる。右側の第３変更反射面７３Ｒは、右側の第２出射部８Ｒの後傾斜面に設けられていて、右側の第２変更反射光Ｌ７２Ｌを、右側の第３変更反射光Ｌ７３Ｒとして、後方向に反射させる。
【００５４】
（第２出射面８０Ｌ、８０Ｒの説明）
２つの第２出射部８Ｌ、８Ｒの後面には、２つの第２出射面８０Ｌ、８０Ｒが設けられている。２つの第２出射面８０Ｌ、８０Ｒは、それぞれ正面視形状が長方形形状もしくはほぼ長方形形状をなす。
【００５５】
２つの第２出射面８０Ｌ、８０Ｒは、第１出射面５０の長手方向の両側（左右方向の左右両側）に配置されている。また、２つの第２出射面８０Ｌ、８０Ｒは、２つの第２出射面８０Ｌ、８０Ｒの長手方向と第１出射面５０の長手方向とが合致もしくはほぼ合致するように、配置されている。
【００５６】
また、灯室１２内の３個の導光部材３は、第１出射面５０の長手方向と２つの第２出射面８０Ｌ、８０Ｒの長手方向とが合致もしくはほぼ合致するように、配置されている。これにより、図１に示すように、灯室１２内の３個の導光部材３において、中側の第１出射面５０および左右両側の２つの第２出射面８０Ｌ、８０Ｒが左右方向に長い１本の帯状（ライン状）の発光面を形成する。
【００５７】
２つの第２出射面８０Ｌ、８０Ｒは、インナーレンズ１３に対向する。２つの第２出射面８０Ｌ、８０Ｒは、左右２つの第３変更反射光Ｌ７３Ｌ、Ｌ７３Ｒを、第２出射光Ｌ８Ｌ、Ｌ８Ｒとして、後方向に外部に出射させる。２つの第２出射面８０Ｌ、８０Ｒには、第２出射光Ｌ８Ｌ、Ｌ８Ｒを左右方向に拡散させる光学素子（プリズムやシボ加工など）が設けられている。
【００５８】
（実施形態１の作用の説明）
この実施形態１にかかる導光部材３、灯具１は、以上のごとき構成からなり、以下、その作用について説明する。
【００５９】
３個の光源２の発光部２０を点灯する。すると、３個の光源２の発光部２０からの光源光Ｌ１は、入射平行光Ｌ２、入射屈折光Ｌ３として、３個の導光部材３の入射部４の第１入射面４１、第２入射面４２から導光部材３の入射部４中に入射する。
【００６０】
入射平行光Ｌ２は、そのまま平行光として、入射部４中から第１出射部５中および上下２つの分割反射部６Ｕ、６Ｄ中に進む。一方、入射屈折光Ｌ３は、平行光反射面４３で反射平行光Ｌ４として、反射する。反射平行光Ｌ４は、平行光として、入射部４中から第１出射部５中および上下２つの分割反射部６Ｕ、６Ｄ中に進む。
【００６１】
入射光である入射平行光Ｌ２および反射平行光Ｌ４の一部は、入射部４中および第１出射部５中を経て、第１出射面５０から、第１出射光Ｌ５として、後方向に外部に直接出射する。
【００６２】
残りの入射光である入射平行光Ｌ２および反射平行光Ｌ４は、入射部４中および上下２つの分割反射部６Ｕ、６Ｄ中を経て、上下２つの分割反射面６０Ｕ、６０Ｄで、左右２つの分割反射光Ｌ６Ｌ、Ｌ６Ｒとして、左方向に右方向に反射する。これにより、残りの入射光である入射平行光Ｌ２および反射平行光Ｌ４の経路は、左右２つに分割される。
【００６３】
左側の分割反射光Ｌ６Ｌは、下側の分割反射部６Ｄ中から左側の変更反射部７Ｌ中に進む。左側の分割反射光Ｌ６Ｌは、左側の第１変更反射面７１Ｌで、左側の第１変更反射光Ｌ７１Ｌとして、上方向に反射する。左側の第１変更反射光Ｌ７１Ｌは、左側の第２変更反射面７２Ｌで、左側の第２変更反射光Ｌ７２Ｌとして、左方向に反射する。
【００６４】
左側の第２変更反射光Ｌ７２Ｌは、左側の変更反射部７Ｌ中から左側の第２出射部８Ｌ中に進む。左側の第２変更反射光Ｌ７２Ｌは、左側の第３変更反射面７３Ｌで、左側の第３変更反射光Ｌ７３Ｌとして、後方向に反射する。左側の第３変更反射光Ｌ７３Ｌは、左側の第２出射部８Ｌ中を経て、左側の第２出射面８０Ｌから、左側の第２出射光Ｌ８Ｌとして、後方向に外部に出射する。
【００６５】
また、右側の分割反射光Ｌ６Ｒは、上側の分割反射部６Ｕ中から右側の変更反射部７Ｒ中に進む。右側の分割反射光Ｌ６Ｒは、右側の第１変更反射面７１Ｒで、右側の第１変更反射光Ｌ７１Ｒとして、下方向に反射する。右側の第１変更反射光Ｌ７１Ｒは、右側の第２変更反射面７２Ｒで、右側の第２変更反射光Ｌ７２Ｒとして、右方向に反射する。
【００６６】
右側の第２変更反射光Ｌ７２Ｒは、右側の変更反射部７Ｒ中から右側の第２出射部８Ｒ中に進む。右側の第２変更反射光Ｌ７２Ｒは、右側の第３変更反射面７３Ｒで、右側の第３変更反射光Ｌ７３Ｒとして、後方向に反射する。右側の第３変更反射光Ｌ７３Ｒは、右側の第２出射部８Ｒ中を経て、右側の第２出射面８０Ｒから、右側の第２出射光Ｌ８Ｒとして、後方向に外部に出射する。
【００６７】
中側の第１出射光Ｌ５および左右両側の第２出射光Ｌ８Ｌ、Ｌ８Ｒは、３個の導光部材３からインナーレンズ１３およびランプレンズ１１を経て、赤色光として、車両の後方向に出射する。これにより、この実施形態１にかかる導光部材３、灯具１は、テール・ストップランプ機能を果たすことができる。
【００６８】
このとき、図１に示すように、灯室１２内の３個の導光部材３の中側の第１出射面５０と左右両側の２つの第２出射面８０Ｌ、８０Ｒとが左右方向に長い１本の帯状（ライン状）の発光面として発光する。しかも、帯状（ライン状）の発光面は、均一もしくはほぼ均一に発光する。
【００６９】
（実施形態１の効果の説明）
この実施形態１にかかる導光部材３、灯具１は、以上のごとき構成および作用からなり、以下、その効果について説明する。
【００７０】
この実施形態１にかかる導光部材３、灯具１は、入射光である入射平行光Ｌ２および反射平行光Ｌ４の一部を第１出射光Ｌ５として中側の第１出射面５０から出射させ、残りの入射光である入射平行光Ｌ２および反射平行光Ｌ４を上下２つの分割反射面６０Ｕ、６０Ｄおよび左右２つ（２組）の変更反射面７１Ｌ、７１Ｒ、７２Ｌ、７２Ｒ、７３Ｌ、７３Ｒを経て２つの第２出射光Ｌ８Ｌ、Ｌ８Ｒとして左右２つの第２出射面８０Ｌ、８０Ｒからそれぞれ出射させるものである。ここで、この実施形態１にかかる導光部材３、灯具１は、少なくとも、入射面４１、４２、４３の一部と第１出射面５０の一部とが、すなわち、第１入射面４１、第２入射面４２および平行光反射面４３のうち、入射部４の円形状の後面の中央部分と、第１出射面５０とが、対向するので、入射面４１、４２、４３からの入射光である入射平行光Ｌ２および反射平行光Ｌ４の一部を直接第１出射面５０から出射させることができる。このために、この実施形態１にかかる導光部材３、灯具１は、第１出射面５０（第１出射光Ｌ５）における光量と左右２つの第２出射面８０Ｌ、８０Ｒ（第２出射光Ｌ８Ｌ、Ｌ８Ｒ）における光量との間の差を無くし、もしくは、小さくすることができる。これにより、この実施形態１にかかる導光部材３、灯具１は、均一もしくはほぼ均一の照度（明るさ）で発光する発光面（中側の第１出射面５０および左右両側の２つの第２出射面８０Ｌ、８０Ｒ）を得ることができる。
【００７１】
この実施形態１にかかる導光部材３、灯具１は、中側の第１出射面５０および左右両側の第２出射面８０Ｌ、８０Ｒが、それぞれ正面視形状が長方形形状もしくはほぼ長方形形状をなし、かつ、中側の第１出射面５０の長手方向と左右両側の２つの第２出射面８０Ｌ、８０Ｒの長手方向とが合致もしくはほぼ合致する。このために、この実施形態１にかかる導光部材３、灯具１は、均一もしくはほぼ均一に発光する左右方向に長い１本の帯状（ライン状）の発光面が得られる。
【００７２】
特に、この実施形態１にかかる導光部材３、灯具１は、灯室１２内に３個の光源２および導光部材３を配置し、かつ、３個の導光部材３の中側の第１出射面５０の長手方向と左右両側の２つの第２出射面８０Ｌ、８０Ｒの長手方向とを合致もしくはほぼ合致させるものである。このために、この実施形態１にかかる導光部材３、灯具１は、図１に示すように、均一もしくはほぼ均一に発光する左右方向に長い１本の帯状（ライン状）の発光面が得られる。
【００７３】
この実施形態１にかかる導光部材３、灯具１は、第１出射面５０および２つの第２出射面８０Ｌ、８０Ｒとランプレンズ１１との間にインナーレンズ１３を配置するものである。このために、この実施形態１にかかる導光部材３、灯具１は、第１出射面５０からの第１出射光Ｌ５および左右２つの第２出射面８０Ｌ、８０Ｒからの左右２つの第２出射光Ｌ８Ｌ、Ｌ８Ｒを、さらに、拡散させることができる。これにより、この実施形態１にかかる導光部材３、灯具１は、さらに、均一もしくはほぼ均一の照度（明るさ）で発光する発光面（中側の第１出射面５０および左右両側の２つの第２出射面８０Ｌ、８０Ｒ）を得ることができる。
【００７４】
（実施形態２の説明）
図７、図８は、この発明にかかる車両用光学部材、車両用灯具の実施形態２を示す。以下、この実施形態２にかかる車両用光学部材、車両用灯具について説明する。図中、図１〜図６と同符号は、同一のものを示す。
【００７５】
なお、この実施形態２においては、この実施形態２にかかる車両用光学部材（以下、「導光部材３Ａ」と称する）の構造と前記の実施形態１における導光部材３の構造とが異なっているが、この実施形態２にかかる車両用灯具（以下、「灯具」と称する）の構造と前記の実施形態１における灯具１の構造とが同様もしくはほぼ同様である。このために、この実施形態２においては、前記の実施形態１における図１、図２に示す灯具１の構造の説明を省略する。
【００７６】
前記の実施形態１の灯具１、導光部材３は、第１変更反射面７１Ｌ、７１Ｒおよび第２変更反射面７２Ｌ、７２Ｒが設けられている変更反射部７Ｌ、７Ｒを有するものである。これに対して、この実施形態２の灯具、導光部材３Ａは、第１変更反射面７１Ｌ、７１Ｒおよび第２変更反射面７２Ｌ、７２Ｒが設けられている変更反射部７Ｌ、７Ｒを省略するものである。すなわち、この実施形態２の灯具、導光部材３Ａは、上下２つの分割反射部６Ｕ、６Ｄに左右２つの第２出射部８Ｌ、８Ｒを直接設けるものである。
【００７７】
これにより、この実施形態２の灯具、導光部材３Ａは、左右２つの第２出射面８０Ｌ、８０Ｒが、上下２つの分割反射面６０Ｕ、６０Ｄと同様に、上下方向にずれている。すなわち、左右２つの第２出射面８０Ｌ、８０Ｒは、上下２つの分割反射面６０Ｕ、６０Ｄの反射方向側（左方向、右方向）に、中側の第１出射面５０の長手方向と左右両側であって上下２つの第２出射面８０Ｌ、８０Ｒの長手方向とが平行もしくはほぼ平行となるように、配置されている。
【００７８】
灯室（１２）内の３個の導光部材３Ａは、中側の第１出射面５０同士の長手方向が合致もしくはほぼ合致し、かつ、左右両側であって上下２つの第２出射面８０Ｌ、８０Ｒ同士の長手方向がそれぞれ合致もしくはほぼ合致し、かつ、中側の第１出射面５０の長手方向と左右両側であって上下２つの第２出射面８０Ｌ、８０Ｒの長手方向とが平行もしくはほぼ平行となるように、配置されている。
【００７９】
また、この実施形態２の灯具、導光部材３Ａは、２つの変更反射面７０Ｌ、７０Ｒ（前記の実施形態１の導光部材３の２つの第３変更反射面７３Ｌ、７３Ｒに相当する変更反射面）が、２つの分割反射面６０Ｕ、６０Ｄと２つの第２出射面８０Ｌ、８０Ｒとの間に配置される。２つの変更反射面７０Ｌ、７０Ｒは、２つの分割反射光Ｌ６Ｌ、Ｌ６Ｒを２つの変更反射光Ｌ７０Ｌ、Ｌ７０Ｒとして後方向に反射させる。
【００８０】
この実施形態２の灯具、導光部材３Ａは、以上のごとき構成からなるので、前記の実施形態１の灯具１、導光部材３と同様もしくはほぼ同様の作用効果を達成することができる。特に、この実施形態２の灯具、導光部材３Ａは、中側の第１出射面５０と左側の第２出射面８０Ｌと右側の第２出射面８０Ｒとが上下にずれるので、前記の実施形態１の灯具１、導光部材３の発光面に比較して、上下に幅広の発光面が得られる。しかも、この実施形態２の灯具、導光部材３Ａは、第２出射光Ｌ８Ｌ、Ｌ８Ｒの反射回数が前記の実施形態１の灯具１、導光部材３の第２出射光Ｌ８Ｌ、Ｌ８Ｒの反射回数に比較して少ないので、光源２の光損失が少なくて済む。
【００８１】
（実施形態１、２以外の例の説明）
なお、前記の実施形態１、２においては、リアコンビネーションランプのテール・ストップランプについて説明するものである。ところが、この発明においては、リアコンビネーションランプのテール・ストップランプ以外のランプにも適用することができる。たとえば、リアコンビネーションランプのバックアップランプ、ターンシグナルランプ、ライセンスプレートランプ、あるいは、フロントコンビネーションランプのターンシグナルランプ、クリアランスランプ、サイドマーカーランプ、デイタイムランニングランプなどにも適用することができる。
【００８２】
前記の実施形態１、２においては、第１出射面５０の上下幅と２つの第２出射面８０Ｌ、８０Ｒの上下幅とが均等もしくはほぼ均等である。ところが、この発明においては、第１出射面５０の上下幅を２つの第２出射面８０Ｌ、８０Ｒの上下幅よりも小さくしても良い。これにより、光軸Ｚに近く光が強い第１出射面５０からの第１出射光Ｌ５の光量を少なくして、光軸Ｚから離れていて光が弱い左右２つの第２出射面８０Ｌ、８０Ｒからの第２出射光Ｌ８Ｌ、Ｌ８Ｒの光量を増やすことができる。この結果、第１出射面５０（第１出射光Ｌ５）における光量と左右２つの第２出射面８０Ｌ、８０Ｒ（第２出射光Ｌ８Ｌ、Ｌ８Ｒ）における光量との間の差を無くし、もしくは、小さくすることができる。
【００８３】
前記の実施形態１、２においては、入射面が第１入射面４１、第２入射面４２、平行光反射面４３からなり、また、入射光が入射平行光Ｌ２、入射屈折光Ｌ３、反射平行光Ｌ４からなるものである。ところが、この発明においては、入射面として、第１入射面４１、第２入射面４２、平行光反射面４３以外の入射面からなるものであっても良いし、また、入射光として、入射平行光Ｌ２、入射屈折光Ｌ３、反射平行光Ｌ４以外の入射光からなるものであっても良い。
【００８４】
なお、この発明は、前記の実施形態１、２により限定されるものではない。
【符号の説明】
【００８５】
１  車両用灯具（灯具）
１０  ランプハウジング
１１  ランプレンズ
１２  灯室
１３  インナーレンズ
１４  ブラケット
２  光源
２０  発光部
２１  基板
３、３Ａ  車両用光学部材（導光部材）
４  入射部
４１  第１入射面
４２  第２入射面
４３  平行光反射面
５  第１出射部
５０、５１Ｕ、５１Ｄ  第１出射面
６Ｕ、６Ｄ  分割反射部
６０Ｕ、６０Ｄ  分割反射面
７Ｌ、７Ｒ  変更反射部
７０Ｌ、７０Ｒ  変更反射面
７１Ｌ、７１Ｒ  第１変更反射面
７２Ｌ、７２Ｒ  第２変更反射面
７３Ｌ、７３Ｒ  第３変更反射面
８Ｌ、８Ｒ  第２出射部
８０Ｌ、８０Ｒ  第２出射面
Ｂ  後
Ｄ  下
Ｆ  前
Ｆ１  焦点
Ｌ  左
Ｌ１  光源光
Ｌ２  入射平行光（入射光）
Ｌ３  入射屈折光（入射光）
Ｌ４  反射平行光（入射光）
Ｌ５、Ｌ５Ｕ、Ｌ５Ｄ  第１出射光
Ｌ６Ｌ、Ｌ６Ｒ  分割反射光
Ｌ７０Ｌ、Ｌ７０Ｒ  変更反射光
Ｌ７１Ｌ、Ｌ７１Ｒ  第１変更反射光
Ｌ７２Ｌ、Ｌ７２Ｒ  第２変更反射光
Ｌ７３Ｌ、Ｌ７３Ｒ  第３変更反射光
Ｌ８Ｌ、Ｌ８Ｒ  第２出射光
Ｒ  右
Ｕ  上
Ｚ  光軸
【図１】
2018045940.tif 000003
【図２】
2018045940.tif 000004
【図３】
2018045940.tif 000005
【図４】
2018045940.tif 000006
【図５】
2018045940.tif 000007
【図６】
2018045940.tif 000008
【図７】
2018045940.tif 000009
【図８】
2018045940.tif 000010